(57)【特許請求の範囲】
【請求項１】
管理データを作成する入力装置と、該管理データを該入力装置から受信して保存する管理データサーバとを備える情報管理システムであって、
前記入力装置は、
指定された住所に対応する地理座標情報を、外部の汎用地図座標情報サーバから取得する地理座標情報取得部と、
表示部に、前記住所に対応する地図を表示させると共に、該地図上の、前記地理座標情報に対応する位置に、位置マークを表示させる機能と、操作者の操作に応じて、前記位置マークの表示位置を前記地図上で変更させる機能と、変更後の前記位置マークの表示位置に対応させて前記地理座標情報を補正する機能と、該地理座標情報が補正された場合は前記管理データに登録された住所の地理座標情報として補正後の該地理座標情報を付加し、且つ、該表示処理部によって前記地理座標情報が補正されなかった場合は前記管理データに登録された住所の地理座標情報として前記地理座標情報取得部が取得した前記地理座標情報を付加して、変更前の前記位置マークに対応する住所の地理座標情報として出力する機能とを備える表示処理部と、
該表示処理部から受け取った該地理座標情報と前記住所とを含む前記管理データを生成する管理データ生成部と、
該管理データ生成部から該管理データを受け取り、前記管理データサーバに送信して保存させる通信部と、
を有し、且つ、
前記管理データサーバは、保存した前記管理データを、自己のシステム内で使用する独自の管理データとして、移動通信端末からの要求に応じて提供することを特徴とする情報管理システム。
【請求項２】
前記移動通信端末は、通信回線を介して前記管理データサーバから前記管理データを受信し、該管理データに付加された前記地理座標情報に基づいて、地図上に前記位置マークを表示することを特徴とする請求項１に記載の情報管理システム。
【請求項３】
コンピュータを、請求項１又は２に記載の情報管理システムとして機能させるための情報管理プログラム。
【発明の詳細な説明】
【技術分野】
【０００１】
この発明は、地理座標情報が付加されたデータを管理する情報管理システム及び情報管理プログラムに関し、特に、この地理座標情報を補正する機能を備える情報管理システム及び情報管理プログラムに関する。
【背景技術】
【０００２】
従来より、顧客データ等の管理データに、地理座標情報（例えば緯度・経度情報）を付加して管理するシステムが知られている。このような技術は、例えば、下記特許文献１に開示されている（特許文献１の段落［００１４］−［００２０］、図１等参照）。
【０００３】
特許文献１のシステムでは、管理データとしてのクライアントデータに、住所情報が含まれている。そして、この住所情報を、ジオコーディングを用いて、地理座標情報に変換する。そして、コンピューティングデバイスの画面に地図を表示させる際に、かかる地理座標に対応する位置に位置マークを表示する。
【０００４】
このようなシステムによれば、そのコンピューティングデバイスの利用者は、地図上の位置表示を参照して、そのクライアントの自宅やオフィスを容易に訪問すること等が可能になる。
【０００５】
ジオコーディングは、例えば、汎用のインターネットサービスやソフトウエアを使用して、行うことができる。
【先行技術文献】
【特許文献】
【０００６】
【特許文献１】特表２０１２−５０６５５９
【発明の概要】
【発明が解決しようとする課題】
【０００７】
しかしながら、汎用のインターネットサービスやソフトウエアを使用する場合、ジオコーディングで取得された地理座標情報が、正確で無い場合や適切で無い場合がある。
【０００８】
例えば、一区画の広い土地を複数の小区画に分割して販売した場合、分割後の各小区画には、その中の１つの小区画を除いて、新しい住所が附されることになる。汎用のインターネットサービスやソフトウエアが、これらの新しい住所に対応するまでには、一定の期間を要する。このため、ジオコーディングの際に、該当する住所とは異なる場所をマークする場合や、該当する住所が存在しないと判断される場合があり、その結果、地図上に位置マークを正しく表示できない場合がある。
【０００９】
また、一区画の広大な土地に、単一の住所が附されている場合がある。このような場合に、多くのジオコーディングサービスやジオコーディングソフトウエアでは、各住所の地理座標値を、その住所に対応する土地の略中央付近に設定している。このため、地図上の位置マーク表示位置が、利用者の望む位置（例えば、利用者が訪問すべき建物の位置や、通用門の位置）と一致しない場合がある。
【００１０】
そこで、この発明は、地図上の正確且つ適切な位置に位置マークを表示することができる情報管理システム及び情報管理プログラムを提供することを課題とする。
【課題を解決するための手段】
【００１１】
かかる課題を解決するために、請求項１に記載の発明は、管理データを作成する入力装置と、該管理データを該入力装置から受信して保存する管理データサーバとを備える情報管理システムであって、前記入力装置は、指定された住所に対応する地理座標情報を、外部の汎用地図座標情報サーバから取得する地理座標情報取得部と、表示部に、前記住所に対応する地図を表示させると共に、該地図上の、前記地理座標情報に対応する位置に、位置マークを表示させる機能と、操作者の操作に応じて、前記位置マークの表示位置を前記地図上で変更させる機能と、変更後の前記位置マークの表示位置に対応させて前記地理座標情報を補正する機能と、該地理座標情報が補正された場合は前記管理データに登録された住所の地理座標情報として補正後の該地理座標情報を付加し、且つ、該表示処理部によって前記地理座標情報が補正されなかった場合は前記管理データに登録された住所の地理座標情報として前記地理座標情報取得部が取得した前記地理座標情報を付加して、変更前の前記位置マークに対応する住所の地理座標情報として出力する機能とを備える表示処理部と、該表示処理部から受け取った該地理座標情報と前記住所とを含む前記管理データを生成する管理データ生成部と、該管理データ生成部から該管理データを受け取り、前記管理データサーバに送信して保存させる通信部と、を有し、且つ、前記管理データサーバは、保存した前記管理データを、自己のシステム内で使用する独自の管理データとして、移動通信端末からの要求に応じて提供することを特徴とする。
【００１４】 請求項２に記載の発明は、請求項１の構成に加えて、前記移動通信端末は、通信回線を介して前記管理データサーバから前記管理データを受信し、該管理データに付加された前記地理座標情報に基づいて、地図上に前記位置マークを表示することを特徴とする。【００１５】  また、上記課題を解決するために、請求項３の発明は、コンピュータを、請求項１又は２に記載の情報管理システムとして機能させる。
【発明の効果】
【００１６】
請求項１の発明によれば、地図上の位置マーク表示位置を操作者が変更するだけで、指定された住所に対応する地理座標情報が補正されるので、簡単な操作のみで、位置マークの表示位置を正確且つ適切な位置に修正できる。
【００１７】 また、請求項１の発明によれば、管理データを生成する際に、その管理データに登録された住所に対応する地理座標情報を、簡単な操作のみで補正することができる。【００１８】 更に、請求項１の発明によれば、入力装置で作成した管理データを、管理データサーバで保存・配信するので、その管理データや位置マーク付きの地図を、他の端末装置で閲覧できる。【００１９】 請求項２の発明によれば、管理データや位置マーク付きの地図を、移動通信端末で閲覧できる。【００２０】 請求項３の発明によれば、請求項１又は２の情報管理システムを、コンピュータを用いて実現することができる。
【図面の簡単な説明】
【００２１】
【図１】実施の形態１に係る情報管理システムの全体構成を示す概念図である。
【図２】実施の形態１に係る入力装置の機能構成を概念的に示すブロック図である。
【図３】実施の形態１に係る情報管理システムで管理する管理データを示す概念図である。
【図４】実施の形態１に係る情報管理システムの動作を説明するための概念図である。
【図５】実施の形態１に係る情報管理システムの動作を説明するための概念図である。
【発明を実施するための形態】
【００２２】
［発明の実施の形態１］
この発明の実施の形態１に係る情報管理システムについて、図１乃至図５を用いて説明する。この実施の形態１では、情報管理システム１００を用いて、顧客情報を管理する場合を例に採って説明する。
【００２３】
図１は、この実施の形態１に係る情報管理システム１００の全体構成を示す概念図である。
【００２４】
図１に示したように、情報管理システム１００は、入力装置１１０と、管理データサーバ１２０と、移動通信端末１３０とを備えている。
【００２５】
入力装置１１０及び移動通信端末１３０は、インターネット１４０を介して、管理データサーバ１２０に通信接続される。
【００２６】
入力装置１００は、オペレータが入力した情報等を用いて管理データ（図３参照）を生成するための装置である。この入力装置１１０としては、例えば、パーソナルコンピュータを使用できる。
【００２７】
管理データサーバ１２０は、入力装置１００が生成した管理データを、図示しないデータベースに保存して、配信する。このデータベースは、管理データサーバ１２０内に設けられていてもよいし、インターネット１４０等の通信回線を介して管理データサーバ１２０に通信接続されていても良い。この管理データサーバ１２０としては、例えばサーバコンピュータを使用できる。
【００２８】
移動通信端末１３０は、管理データサーバ１２０にアクセスして、管理データを閲覧するための通信端末である。この移動通信端末は、この管理データに含まれる住所等の各種情報を文字情報として閲覧できると共に、画面に地図を表示して、その住所に対応する位置に位置マークを表示させることができる（後述）。移動通信端末１３０としては、例えばスマートフォンや、携帯電話機、ノート型パーソナルコンピュータ等の、移動型コンピューティングデバイスを使用できる。
【００２９】
ジオコーディングサーバ１５０は、住所情報と地理座標情報との関係を、図示しないデータベースに保存している。ここで、地理座標とは、地理上の位置を特定するための座標であり、例えば緯度・経度である。このジオコーディングサーバ１５０は、インターネット１４０を介して、入力装置１１０と通信接続されている。そして、入力装置１１０から住所情報を受け取ったときに、これに対応する地理座標情報を、この入力装置１１０に送信する。
【００３０】
ジオコーディングサーバ１５０としては、ジオコーディングデータ提供サービスを行っている業者のサーバコンピュータを使用できるが、情報管理システム１００の所有者・管理者等が、この情報管理システム１００の一部として設置してもよい。
【００３１】
また、インターネット１４０に代えて、他の種類の通信ネットワークを用いても良い。
【００３２】
図２は、入力装置１１０の構成を概念的に示すブロック図である。
【００３３】
図２に示したように、この入力装置１１０は、演算処理部２１０、表示部２２０、操作部２３０、通信部２４０を備えている。
【００３４】
演算処理部２１０は、所定のアプリケーションプログラムを実行することによって、管理データ生成部２１１と、地理座標情報取得部２１２と、表示処理部２１３とを、ソフトウエア的に構築する。なお、これらの各部２１１〜２１４が、ハードウエア的に構成されても良いことは、もちろんである。演算処理部２１０は、これらの各部２１１〜２１４を後述のように動作させることで、顧客情報（図３参照）を作成する。
【００３５】
表示部２２０としては、例えば、液晶ディスプレイ等を使用できる。表示部２２０は、表示処理部２１３から入力した信号に基づいて、画面に、文字情報や、位置マークが付加された地図等を表示する（後述）。
【００３６】
操作部２３０としては、例えば、キーボードや、コンピュータマウス等を使用できる。後述のように、操作部２３０は、社名情報や住所情報の演算処理部２１０への入力や、表示部２２０に表示された位置マークの表示位置変更等に使用される。
【００３７】
通信部２４０は、この入力装置１１０を、管理データサーバ１２０やジオコーディングサーバ１５０に通信接続するために使用される。
【００３８】
次に、演算処理部２１０の機能構成について、より詳細に説明する。
【００３９】
管理データ生成部２１１は、顧客情報を作成する。この顧客情報は、図３に示したように、社名情報、住所情報、地理座標情報等を含む。この内、社名情報や住所情報は、オペレータが操作部２３０を操作することによって、この管理データ生成部２１１に入力される。そして、この管理データ生成部２１１は、これら社名情報や住所情報等を一時的に記憶すると共に、この住所情報を地理座標情報取得部２１２に送る。更に、管理データ生成部２１１は、後述のようにして表示処理部２１３から地理座標情報を取得し、この地理座標情報や、予め記憶された社名情報、住所情報等を用いて、管理データを完成する。完成された管理データは、通信部２４０及びインターネット１４０を介して、管理データサーバ１２０に送られる（図１参照）。
【００４０】
地理座標情報取得部２１２は、管理データ部２１１から住所情報を受け取ると、通信部２４０及びインターネット１４０を介して、ジオコーディングサーバ１５０に送る。これにより、地理座標情報取得部２１２は、ジオコーディングサーバ１５０から、地理座標情報を取得することができる（上述）。取得した地理座標情報は、表示処理部２１３に転送される。
【００４１】
表示処理部２１３は、表示部２２０の画面に、文字情報や地図等を表示させる。表示する地図のデータとしては、入力装置１１０内のメモリ（図示せず）に保存したものを使用できるが、インターネット１４０等を介して外部から取得しても良い。
【００４２】
また、この表示処理部２１３は、地理座標情報取得部２１２から地理座標情報を受け取ると、その地理座標を表示画面上の座標に変換し、表示部２２０の画面上の、その座標が示す位置に、位置マーク４０１を表示させる（図４参照）。
【００４３】
更に、表示処理部２１３は、操作部２３０からの入力信号に応じて、この位置マーク４０１を、他の表示位置の位置マーク４０２に変更する（図５参照）。そして、表示処理部２１３は、位置マーク４０２の表示位置座表（変更後の表示位置座標）に対応させて、地理座表情報を補正する。補正後の地理座標情報は、上述の管理データ生成部２１１に送られる。一方、操作部２３０による表示位置変更が行われなかった場合（すなわち、地理座標情報の補正が行われなかった場合）、表示処理部２１３は、地理座標情報取得部２１２から受け取った地理座標情報を、そのまま管理データ生成部２１１に送る。
【００４４】
次に、この実施の形態１に係る情報管理システム１００が管理データを作成する手順を説明する。
【００４５】
まず、オペレータが、操作部２３０を操作することにより、社名情報や住所情報を、入力装置１１０に入力する。オペレータは、この入力結果を、表示部２２０を用いて確認することができる。上述のように、入力装置１１０に入力された情報は、管理データ生成部２１１に一時記憶される。
【００４６】
地理座標情報取得部２１２は、管理データ生成部２１１に一時記憶された住所情報を受け取って、通信部２４０に送る。通信部２４０は、この住所情報を、インターネット１４０を介して、ジオコーディングサーバ１５０に送信する。
【００４７】
ジオコーディングサーバ１５０は、この住所情報を受け取ると、これに対応する地理座標情報をデータベース（図示せず）から読み出す。この地理座標情報は、インターネット１４０を介して、入力装置１１０の通信部２４０に送信される。通信部２４０は、受信した地理座標情報を、地理座標情報取得部２１２に転送する。
【００４８】
このようにして、地理座標情報取得部２１２は、上記住所情報に対応する地理座標情報を取得する。この地理座標情報は、この地理座標情報取得部２１２から、表示処理部２１３に送られる。
【００４９】
表示処理部２１３は、この地理座標情報に基づいて、表示部２２０に表示させる地図を決定する。すなわち、この地理座標点から所定距離内の地域が表示されるような地図が、所定の縮尺で、表示部２２０に表示される。この縮尺は、オペレータが操作部２２０を用いて、適宜変更できるようにしても良い。
【００５０】
加えて、表示処理部２１３は、受信した地理座標情報を、表示部２２０の画面上の座標に変換する。そして、表示処理部２１３は、この表示座標が示す位置に、位置マーク４０１を表示させる（図４参照）。この地図や位置マーク４０１は、上述の社名情報や住所情報と同じ画面に、これらと同時に表示しても良い。
【００５１】
これにより、オペレータは、位置マーク４０１の表示位置が正確且つ適切であるか否かを判断できるようになる。そして、位置マーク４０１の表示位置が正確且つ適切であると判断した場合、オペレータは、この位置マーク４０１の位置を承認するための操作を行う。この承認操作は、例えば、画面上の承認用アイコンをクリックすること等で行える。
【００５２】
ここで、例えば以下のような理由から、位置マーク４０１の表示位置が不正確な場合や不適切な場合がある。
【００５３】
１つの例として、ジオコーディングサーバ１５０のデータベースに、該当する住所が登録されていない場合がある。例えば、ジオコーディングサーバ１５０の受信した住所は‘Ｘ通り１２３番地’であるが、ジオコーディングサーバ１５０のデータベースには‘１２３番地’が登録されていない場合等である。このような場合、ジオコーディングサーバ１５０は、‘Ｘ通り１２３番地’の地理座標情報に代えて、‘Ｘ通り’の他の場所の地理座標情報を送信する。従って、表示部２２０に表示される位置マーク４０１の位置は、住所情報と、正確には一致しない。
【００５４】
他の例として、一区画の広大な土地に単一の住所が附されおり、その区画の一地点（多くの場合、その区画の中央部付近の一地点）の地理座標情報のみが、ジオコーディングサーバ１５０のデータベースに保存されている場合がある。このような住所を訪問するために地図を表示する場合、通常、システム利用者が望むのは、その住所の通用門の位置や、訪問したい建物の位置である。このため、位置マーク４０１の表示位置は、システム利用者が望む表示位置に適切に対応していないことになる。
【００５５】
位置マーク４０１の表示位置が不正確な場合や不適切な場合、オペレータは、操作部２３０を操作して、表示部２２０の画面上で、位置マーク４０１の位置を移動させる（図５参照）。この操作により、操作部２３０から操作信号が出力され、表示処理部２１３に入力される。
【００５６】
表示処理部２１３は、この操作信号に基づいて、画面上の、位置マーク４０１の移動方向や移動長さを判断する。これにより、変更後の、新しい表示座標が決定される。そして、この新しい表示座標に対応させて、表示部２２０に、新たな位置マーク４０２を表示させる。
【００５７】
オペレータは、変更後の位置マーク４０２の位置が正確且つ適切であると判断した場合、この位置マーク４０２の位置を承認するための操作を行う。承認のための操作方法は、上述の承認操作を同じで良い。一方、変更後の位置マーク４０２の位置が正確且つ適切でないと判断した場合には、正確且つ適切であると判断されるまで位置マーク４０２の位置変更を繰り返したのちに、承認操作を行えば良い。
【００５８】
位置マーク４０２の表示位置が承認されると、表示処理部２１３は、この位置マーク４０２の画面座標に対応する、地理座標情報を計算する。これにより、ジオコーディングサーバ１５０の地理座標情報が、正確且つ適切な地理座標情報に補正されたことになる。
【００５９】
その後、表示処理部２１３は、オペレータに承認された地理座標情報を、管理データ生成部２１１に送信する。すなわち、位置マーク４０１が承認された場合はジオコーディングサーバ１５０から提供された地理座標情報がそのまま管理データ生成部２１１に送信され、また、位置マーク４０２が承認された場合は補正後の地理座標情報が管理データ生成部２１１に送信される。
【００６０】
管理データ生成部２１１は、受信した地理座標情報と、予め一時記憶された社名情報や住所情報等を用いて、顧客情報（図３参照）を作成する。そして、管理データ生成部２１１は、作成した顧客情報を、通信部２４０に送る。
【００６１】
通信部２４０は、この顧客情報を、インターネット１４０を介して、管理データサーバ１２０に送信する。
【００６２】
管理データサーバ１２０は、受信した顧客情報を、図示しないデータベースに格納する。これにより、この顧客情報を、移動通信端末１３０で閲覧できるようになる。
【００６３】
この結果、移動通信端末１３０の利用者は、この顧客を訪問するため移動中に、この顧客情報の住所等と共に、地図上に表示された位置マークを参照することができるようになる。
【００６４】
以上説明したように、この実施の形態１によれば、地図上の位置マーク表示位置を操作者が変更するだけで地理座標情報が補正されるので、簡単な操作のみで、位置マークの表示位置を正確且つ適切な位置に修正できる。
【００６５】
また、入力装置１１０で作成した管理データを、管理データサーバ１２０で保存・配信できるので、その管理データや位置マーク付きの地図を、インターネット１４０を介して多数の携帯通信端末で閲覧できる。
【００６６】
なお、この実施の形態１では、本発明を顧客データの管理に使用する場合を例に採ったが、本発明は、他の種類の個人情報管理にも適用できる。更に、本発明は、通常の電子地図やナビゲーションシステム等、個人情報管理以外の情報管理システムにも適用できる。
【００６７】
また、この実施の形態１では、入力装置１１０と移動通信端末１３０とを別個に設けた例を説明したが、同一の通信デバイスを、入力装置１１０と移動通信端末１３０との両方の用途で使用できるようにしても良い。
【００６８】
更には、管理データを生成する機能（管理データ生成部２１１）や、ジオコーディングサーバ１５０から地理座標情報を取得する機能（地理座標情報取得部２１２）を、入力装置１１０内に設けたが、これらの機能を管理データサーバ１２０に設けても良い。
【００６９】
加えて、この実施の形態１では、位置マーク４０２の表示位置に対応する地理座標そのものを、補正後の地理座標情報としたが、位置マーク４０２の位置を特定できる情報であれば、他の情報であっても良い。例えば、補正後の地理座標情報は、ジオコーディングサーバ１５０から提供された地理座標情報と、オペレータが位置マークを移動させた方向や長さを示す差分情報とからなる情報であっても良い。
【符号の説明】
【００７０】
１００  情報管理システム
１１０  入力装置
１２０  管理データサーバ
１３０  移動通信端末
１４０  インターネット
１５０  ジオコーディングサーバ
２１０  演算処理部
２１１  管理データ生成部
２１２  地理座標情報取得部
２１３  表示処理部
２２０  表示部
２３０  操作部
２４０  通信部
４０１，４０２  位置表示マーク
【要約】
【課題】地図上の位置マーク表示位置を簡単な操作で補正できる情報管理システムを提供する。
【解決手段】入力装置１１０は、入力された住所に対応する地理座標情報を、ジオコーディングサーバ１５０から取得する。また、入力装置１１０は、ディスプレイに地図を表示させる際、受信した地理座標情報に対応する位置の位置マークを表示させる。オペレータがマウス等を操作して、位置マークの表示位置を地図上で変更すると、この変更結果に基づいて地理座標情報が補正される。その後、入力装置１１０は、住所と地理座標情報とを含む顧客管理データを生成する。このとき、位置マークの表示位置が補正されていれば、この管理データの地理座標情報として、補正後のものが使用される。この管理データは、管理データサーバ１２０を介して移動通信端末１３０に配信される。移動通信端末１３０が地図を表示するとき、位置マークは、補正後の位置に表示される。
【選択図】図１【図１】
0005617027.tif 000002
【図２】
0005617027.tif 000003
【図３】
0005617027.tif 000004
【図４】
0005617027.tif 000005
【図５】
0005617027.tif 000006